(57)【特許請求の範囲】
【請求項１】
瓦表面に流水部を有し、瓦表面の側方に瓦差込み部を備えた瓦において、該瓦の瓦尻部と瓦頭部との間に瓦尻部側が瓦頭部側に対して高い位置にくる１列または複数列の段差部を設け、前記瓦差込み部に瓦尻部側から瓦頭部方向の一条もしくは複数条の溝を設け、また該溝の段差部瓦尻部側に位置する部位と段差部瓦頭部側の流水部とを繋ぐ水誘導溝を設け、前記瓦表面の段差部と瓦頭部の間に、段差部側から瓦頭部方向の飾り溝を設け、瓦裏面に、該飾り溝に対応する個所に段差部側から瓦頭部方向のリブを設けてなることを特徴とする瓦。
【請求項２】
前記瓦尻部と段差部との間に、上側に位置する瓦をスライド自在に葺ける瓦スライド調整部を有する請求項１に記載の瓦。
【請求項３】
前記瓦表面の瓦尻部と段差部の間に、瓦尻部側から段差部方向のスライド用溝を設け、瓦裏面に、該スライド用溝に対応する個所に瓦尻部側から段差部方向のリブを設け、また瓦裏面の該段差部から瓦頭部の間に、瓦を葺く際、下側に位置する瓦のスライド用溝と係合する係合用突起を設けてなる請求項１または２に記載の瓦。
【請求項４】
瓦表面に流水部を有し、瓦表面の側方に瓦差込み部を備えた瓦において、該瓦の瓦尻部と瓦頭部との間に瓦尻部側が瓦頭部側に対して高い位置にくる１列または複数列の段差部を設け、前記瓦差込み部に瓦尻部側から瓦頭部方向の一条もしくは複数条の溝を設け、また該溝の段差部瓦尻部側に位置する部位と段差部瓦頭部側の流水部とを繋ぐ水誘導溝を設け、前記瓦表面の瓦尻部と段差部の間に、瓦尻部側から段差部方向のスライド用溝を設け、瓦裏面に、該スライド用溝に対応する個所に瓦尻部側から段差部方向のリブを設け、また瓦裏面の該段差部から瓦頭部の間に、瓦を葺く際、下側に位置する瓦のスライド用溝と係合する係合用突起を設けてなることを特徴とする瓦。
【発明の詳細な説明】
【０００１】
【発明の属する技術分野】
本発明は、瓦に係り、より詳細には、瓦を葺く際、該瓦を任意にスライド調整ができ、また小さい瓦を数多く葺いたような景観が得られ、かつ緩勾配でも葺くことができる瓦に関する。
【０００２】
【従来の技術】
屋根瓦には、平板状、波板状等、種々の形状・形態のものがある。近年、屋根の有効利用、屋根の外観的な美しさ、あるいは施工性という観点から平板状の瓦が着目されている。この平板状瓦としては、通常、薄型スレート瓦が多く用いられている。しかし、薄型スレート瓦の場合、板状に形成されていて、瓦を葺いた際の重なり部分が多くなるため、一枚一枚の瓦としては、一般の瓦に比べて軽量であるものの、全体としての重量は重くなる。更に、緩勾配に葺くことが難しいという問題がある。
【０００３】
そこで、このような問題に鑑み、種々の平板状の瓦が提案されている。この平板状の瓦は、一般的は、瓦表面の流水部の側方に、瓦の葺く際の差込み部を備えていて、この差込み部に一条若しくは二条の排水用溝を設けた構成からなる。そして、これらの瓦は、薄型スレート瓦に比べて、強度を有することから、瓦としての安定性を有する。
【０００４】
【発明が解決しようとする課題】
しかし、前述したような瓦の場合、次のような課題がある。すなわち、
（１）この平板状の瓦をレンガ目地状に葺いた場合、前記差込み部に形成されている排水用溝が、屋根の棟から軒先までストレートに位置する形態となるため、該排水用溝から流水が溢れることになり、雨漏れの原因となる。
（２）そのため、瓦を千鳥状に葺かなければならないため、その位置合わせ等、施工性が悪くなる。
（３）また、瓦の差込み部の厚みと、該差込み部と重なり合わさる桟部の厚みとの合計厚みを、瓦厚みと同じにする必要があるが、該厚みとした場合、かかる個所の強度が低下する。
（４）更に、緩勾配に葺くことが難しい。
等の課題がある。
【０００５】
本発明は、以上のような課題に対処して創案したものであって、その目的とする処は、瓦を葺く際、該瓦を任意にスライド調整ができ、かつ緩勾配でも葺くことができる瓦を提供することにある。また小さい瓦を数多く葺いたような景観が得られる瓦を提供することにある。
【０００６】
【課題を解決するための手段】
そして、上記課題を解決するための手段としての本発明の瓦は、瓦表面に流水部を有し、瓦表面の側方に瓦差込み部を備えた瓦において、該瓦の瓦尻部と瓦頭部との間に瓦尻部側が瓦頭部側に対して高い位置にくる１列または複数列の段差部を設け、前記瓦差込み部に瓦尻部側から瓦頭部方向の一条もしくは複数条の溝を設け、また該溝の段差部瓦尻部側に位置する部位と段差部瓦頭部側の流水部とを繋ぐ水誘導溝を設け、前記瓦表面の段差部と瓦頭部の間に、段差部側から瓦頭部方向の飾り溝を設け、瓦裏面に、該飾り溝に対応する個所に段差部側から瓦頭部方向のリブを設けてなる。
本発明の瓦において、（１）前記瓦尻部と段差部との間に、上側に位置する瓦をスライド自在に葺ける瓦スライド調整部を有する構成、（２）前記瓦表面の瓦尻部と段差部の間に、瓦尻部側から段差部方向のスライド用溝を設け、瓦裏面に、該スライド用溝に対応する個所に瓦尻部側から段差部方向のリブを設け、また瓦裏面の該段差部から瓦頭部の間に、瓦を葺く際、下側に位置する瓦のスライド用溝と係合する係合用突起を設けてなる構成であってもよい。
他の発明に係る瓦は、瓦表面に流水部を有し、瓦表面の側方に瓦差込み部を備えた瓦において、該瓦の瓦尻部と瓦頭部との間に瓦尻部側が瓦頭部側に対して高い位置にくる１列または複数列の段差部を設け、前記瓦差込み部に瓦尻部側から瓦頭部方向の一条もしくは複数条の溝を設け、また該溝の段差部瓦尻部側に位置する部位と段差部瓦頭部側の流水部とを繋ぐ水誘導溝を設け、前記瓦表面の瓦尻部と段差部の間に、瓦尻部側から段差部方向のスライド用溝を設け、瓦裏面に、該スライド用溝に対応する個所に瓦尻部側から段差部方向のリブを設け、また瓦裏面の該段差部から瓦頭部の間に、瓦を葺く際、下側に位置する瓦のスライド用溝と係合する係合用突起を設けてなる。
【０００７】
ここで、前記瓦には、瓦の流水部が、平坦状の平板状瓦のみでなく、種々の洋瓦、和瓦を含み、セメント瓦、粘土瓦、樹脂製瓦、を含む。なお、前記瓦尻部とは、瓦を葺いた際、棟側に位置する部分をいい、また前記瓦頭部とは、瓦を葺いた際、軒側に位置する部分をいう。前記瓦差込み部とは、瓦を葺いた際、左側または右側に位置する瓦で覆われる重なり合う部分をいう。
また、前記段差部は、一例の段差、二列以上の段差を形成してもよい。すなわち、大略的には、階段状に形成している。そして、この段差部は、流水を積極的に前方に送り出す作用をすることができる。これによって、瓦を緩勾配に葺いても屋根の勾配を吸収できる。
【０００８】
本発明の瓦は、通常、屋根の軒側から葺いていくが、瓦をスライドできるので、瓦の位置合わせが容易に行える。そして、葺いた状態で、瓦の流水部を流下する水は、瓦途中の段差部で、積極的に前方に送り出し、また瓦重合わせ部である瓦差込み部に入り込んだ水は、該瓦差込み部に形成されている溝内を流下し、途中の段差部分に形成してある水誘導溝により、瓦表面の流水部に送り出せる。従って、水が瓦差込み部に溢れることがなく、流下させることができる。
【０００９】
【発明の効果】
以上の説明より明らかなように、本発明の瓦によれば、瓦の瓦尻部と瓦頭部との間に瓦尻部側が瓦頭部側に対して高い位置にくる１列または複数列の段差部を設け、瓦差込み部に瓦尻部側から瓦頭部方向の一条もしくは複数条の溝を設け、また該溝の段差部瓦尻部側に位置する部位と段差部瓦頭部側の流水部とを繋ぐ水誘導溝を設けてなるので、該段差部が、屋根勾配を吸収できるため緩勾配に葺くことができるという効果を有する。
また、該水誘導溝によって、瓦差込み部に侵入した水を、流下途中で、瓦表面の流水部に送り出せるので、瓦差込み部で水が溢れるのを防止できるという効果を有する。また、前記発明において、瓦尻部と段差部との間に、上側に位置する瓦をスライド自在に葺ける瓦スライド調整部を有する場合、瓦を葺く際、その位置合わせが容易にでき、その施工性が良好になるという効果を有する。また、前記瓦表面の瓦尻部と段差部の間に、瓦尻部側から段差部方向のスライド用溝を設け、瓦裏面に、該スライド用溝に対応する個所に瓦尻部側から段差部方向のリブを設け、また瓦裏面の該段差部から瓦頭部の間に、瓦を葺く際、下側に位置する瓦のスライド用溝と係合する係合用突起を設けてなる構成にあっては、瓦のスライド調整を容易に行え、かつ瓦の強度を維持できるという効果を有する。
更に、前記各発明において、前記瓦表面の段差部と瓦頭部の間に、段差部側から瓦頭部方向の飾り溝を設け、瓦裏面に、該飾り溝に対応する個所に段差部側から瓦頭部方向のリブを設けてなる構成にあっては、該飾り溝とスライド溝とにより、小さい瓦を数多く葺いたような景観が得られる瓦を得ることができるという効果を有する。
【００１０】
【発明の実施の形態】
以下、図面を参照しながら、本発明を具体化した好ましい実施の形態について説明する。ここに、図１〜図５は、本発明の実施例を示し、図１は瓦の平面図、図２は瓦表面側の斜視図、図３は瓦裏面側の斜視図、図４は縦方向の拡大した断面図、図５は瓦を葺いた状態の斜視図である。
【００１１】
本実施形態の瓦１は、通常の瓦と同じく、図１〜図３に示すように、瓦表面２に流水部３、瓦表面２の一方の側部（本実施形態では瓦表面の右側）に瓦差込み部４、瓦表面２の上方（瓦を葺いた状態で棟側）の瓦尻部５に水返し部５ａ、瓦表面２の他方の側部（本実施形態では瓦表面の左側）に瓦差込み部４との係合部６、および瓦表面２の下方（瓦を葺いた状態で軒側）の瓦頭部７に水垂れ部８を有している。
【００１２】
瓦表面２の瓦尻部５と瓦頭部７との間には、瓦１を横断する方向の一列の段差部９が設けてある。段差部９は、段差始端９ａと水垂れ部８の水垂れ始端８ａとを結ぶ線分に対して内方に窪む窪み部９ｂを有する。そして、窪み部９ｂの折れ曲がり点９ｃと段差始端９ａとの間に形成される流水増速面９ｄと、段差始端９ａと瓦尻部５との間の上方流水面１０とがなす角度αと、折れ曲がり点９ｃと水垂れ始端８ａとの間の下方流水面１１と、流水増速面９ｄとがなす角度βが、それぞれ９０度若しくはそれ以上大きい角度に形成されている。そして、ここでは、下方流水面１１が、流水増速面９ｄで増速された流水を送り出す流水送り出し面を形成する。本実施形態においては、それぞれ１２０度程度としてある。この角度は、９０度若しくはそれ以上大きい角度であればよいが、あまり大きすぎる角度の場合、流水増速性が低下する。好ましくは、９０度〜１５０度程度がよい。この段差部９によって、流水を積極的に下方に誘導できる。
【００１３】
瓦表面２の瓦尻部５と段差部９との間には、瓦を葺いた際、上側に位置する瓦が上方に外れるのを防止するための横方向のリブ１２が設けてある。また間隔を開けて２本のスライド溝１３が設けてある。このスライド溝１３は瓦を葺く際、上側に葺く瓦を任意にスライドさせ得るための瓦誘導用の溝である。このスライド溝１３，１３は、本実施形態においては、上方流水面１０の若干盛り上がった部分（一般的には谷部という）に形成してある。
【００１４】
瓦表面２の段差部９と瓦頭部７との間で、前記２本のスライド溝１３，１３の間に対応する部位には、飾り溝１４と、瓦１を固定するために使用する盲孔１５が設けてある。このスライド溝１３，１３と、飾り溝１４、および段差部９の存在によって、この一枚の瓦は、瓦を葺いた状態において、４枚の小さい瓦を葺いている景観を得ることができる。また、盲孔１５は、この孔を用いて瓦を固定するとき孔開けして使用するようにしている。また、瓦表面２の瓦頭部７には、段差部９と同様の流水増速面１６と、流水送り出し面１７を形成している。ここでも、角度α′とβ′は、段差部９における角度α、βと同じく、９０度若しくはそれ以上大きい角度としている（通常は、１２０度程度である）。
【００１５】
瓦表面２の一方の側部の瓦差込み部４は、縦方向の水排出溝１８が設けてあり、この水排出溝１８は、中間のリブによって二条の水排出溝１８ａ，１８ｂを有し、瓦尻部５側から瓦頭部７の方向に直線状に形成してある。そして、この水排出溝１８は、溝１８の段差部９の瓦尻部側に位置する部位１９と段差部瓦頭部側の下方流水面１１とを繋ぐ斜め方向の水誘導溝２０が設けてある。水誘導溝２０は、水排出溝１８に侵入した水が溢れることを防止するための溝であって、該水を段差部９の段差を利用して溝を形成し、下方流水面１１に誘導することができる。ここで、水誘導溝２０は、内側に位置する水排出溝１８ａと繋がれていて、外側に位置する水排出溝１８ｂとは、水排出溝１８ａと水排出溝１８ｂとを繋ぐ、リブを若干傾斜して横切る連絡溝１８ｃによって繋がれ、また水誘導溝２０と連絡溝１８ｃとは、水排出溝１８ａを介して繋がれ、途中でリブが堰を形成している。
【００１６】
また、瓦１の裏面には、前記スライド溝１３，１３、飾り溝１４に対応する部位には、リブ２２，２２，２３が形成してある。これによって、瓦１の強度を上げている。また、水垂れ部８の底面で、前記スライド溝１３，１３に対応する部位には、瓦を葺いた状態で、下側に位置する瓦のスライド溝１３，１３と係合する係合突起２４，２４が設けてある。また、瓦差込み部４の裏面において、瓦１は瓦表面２の瓦尻部５と段差部９との間でスライドするが、段差部９と瓦頭部７との間ではスライドしない構成であるので、瓦差込み部４の裏面は、段差部９と瓦頭部７との間は、瓦尻部５と段差部９との間に比べて肉厚にしている。これによって、瓦の強度が弱くなる個所に強度を付与できる。
【００１７】
本実施形態の瓦１は、屋根の軒側から、順次、葺いていく。すなわち、図５に示すように、左右方向の瓦は、先に葺いた瓦の瓦差込み部４に、これから葺く瓦の係合部６を覆うようにして葺く。そして、その上側に瓦を葺く場合、先に葺いている瓦１の瓦表面２に形成されているスライド溝１３，１３に、これから葺く瓦の係合突起２４，２４を嵌めてスライドさせ、その位置合わせを行うことで葺くことができる。このようにして、順次、屋根全体に瓦を葺くことができる。このように上下方向において瓦の位置をスライド調整することで、屋根全体に正確に、かつスピーディに瓦を葺くことができる。また、途中に段差部９が形成してあることにより、１．５寸〜２寸の屋根勾配に瓦を葺くことができる。
【００１８】
そして、瓦を葺いた状態において、瓦１の流水部３を流下する水は、瓦１の途中に形成されている段差部９で、積極的に前方に送り出し、また瓦重ね合わせ部である瓦差込み部４に入り込んだ水は、瓦差込み部４に形成されている水排出溝１８ａ，１８ｂを流下し、途中の段差部分に形成してある水誘導溝２０で瓦表面２の下方流水面１１に送り出せる。従って、水が瓦差込み部４に溢れることがなく、流下させることができる。
【００１９】
なお、本発明は、上述した実施形態に限定されるものでなく、種々、変形・実施できる構成を含む。因みに、前述した実施形態においては、瓦の瓦表面に低い谷、山が形成されている平板状の瓦で説明したが、波状の瓦、その他の瓦にも実施できる。また、段差部やスライド溝、飾り溝は、適宜、好ましいものを用いることができる。すなわち、上述した実施形態では、一枚の瓦が、４枚の小さい瓦を葺いているかのような景観を生じているが、そのスライド溝や段差部の数によって、異なる景観を得ることができる。
【図面の簡単な説明】
【図１】本発明の実施例を示す瓦の平面図である。
【図２】瓦表面側の斜視図である。
【図３】瓦裏面側の斜視図である。
【図４】縦方向の拡大した断面図である。
【図５】瓦を葺いた状態の斜視図である。
【符号の説明】
１・・・瓦、２・・・瓦表面、３・・・流水部、４・・・瓦差込み部、５・・・瓦尻部、５ａ・・・水返し部、６・・・係合部、７・・・瓦頭部、８・・・水垂れ部、８ａ・・・水垂れ始端、９・・・段差部、９ａ・・・段差始端、９ｂ・・・窪む窪み部、９ｃ・・・折れ曲がり点、９ｄ・・・流水増速面、１０・・・上方流水面、１１・・・下方流水面、１２・・・リブ、１３・・・スライド溝、１４・・・飾り溝、１５・・・盲孔、１６・・・流水増速面、１７・・・流水送り出し面、１８・・・縦方向の水排出溝、１８ａ・・・内側の水排出溝、１８ｂ・・・外側の水排出溝、１８ｃ・・・連絡溝、１９・・・溝１８の段差部９の瓦尻部側に位置する部位、２０・・・水誘導溝、２２・・・瓦裏面のリブ、２３・・・瓦裏面のリブ、２４・・・係合突起
【図１】
0003910273.tif 000002
【図２】
0003910273.tif 000003
【図３】
0003910273.tif 000004
【図４】
0003910273.tif 000005
【図５】
0003910273.tif 000006